(57)【要約】【課題】ルアー自体の繊細な動作能力を損なわず、ルアーのキャスティングの飛距離を延ばしたり、水中での沈下速度を早めたりすることを補助するルアー用の錘を提供する。【解決手段】上端にラインＬが止着される環状止め金具１ａと、環状止め金具１ａの主軸６が挿通される貫通孔を有する胴部２と、同じく前記主軸６が挿入される挿入孔を有する錘部３と、胴部２に貫通した環状止め金具１ａの主軸６に対して交差する方向へ設置された環状止め金具１ｂで構成されていることを特徴とする。【選択図】図１
2015188448.tif 000002
【特許請求の範囲】
【請求項１】
上端にライン（Ｌ）が止着される環状止め金具（１ａ）と、環状止め金具（１ａ）の主軸（６）が挿通される貫通孔を有する胴部（２）と、同じく前記主軸（６）が挿入される挿入孔を有する錘部（３）と、胴部（２）に貫通した環状止め金具（１ａ）の主軸（６）に対して交差する方向へ設置された環状止め金具（１ｂ）で構成されていることを特徴とするルアー用の錘。
【請求項２】
胴部（２）は、主軸（６）を軸として回転し得ることを特徴とする請求項１のルアー用の錘。
【請求項２】
環状止め金具（１ｂ）が掛止フック（７）となっていることを特徴とする請求項１のルアー用の錘。
【発明の詳細な説明】
【技術分野】
【０００１】  本発明は、魚釣りに用いるルアー用の錘に関するものである。
【背景技術】
【０００２】  釣りに用いられる錘には様々な形態があるが、ルアーのキャスティングの飛距離を調整したり、水中での沈降速度を調整したりする為のルアー用の錘を背景技術とする。【０００３】  ルアーフィッシングに用いられるルアーは、飛距離や沈降速度を調整するために、様々な工夫が施されている。例えば、スプーンと呼ばれる金属製ルアーは、大きさや形、また金属の比重等を変更して、飛距離や沈降速度を調整する。また、ミノーと呼ばれるバルサ製のルアーは、内蔵する錘の重量で飛距離や沈降速度を調整する。さらに、ワームと呼ばれるソルトルアーは、ジグヘッドと呼ばれる針に一体成型された錘の重量で飛距離や沈降速度を調整することなどが一般的に知られている。【０００４】  これらのルアーは、対象魚の興味を引く為には生命感のある繊細な動きが必要である。この生命感のある繊細な動作を得るためには、軽量で小型であることが必須とされている。さらに、対象魚のバイトのアタリを的確に取る為にも軽量であることが好ましいとされている。しかし、一方で、対象魚を広範囲に探る場合や、手返し良く早くルアーを沈下させる為には、ルアーは重くあることが求められる。このようにルアーの重量に関しては一長一短がある。【０００５】  このようなことから、ルアー自体の繊細な動作能力を発揮させながら、飛距離を延ばし、沈降速度を速めることのできる補助錘が求められることになる。これらの特許文献として、状況に合わせて沈降態様や泳動姿勢に変化を付け得るルアーが開示されている（特許文献１）。また、錘部とワームフック部分が別になったジグヘッドが開示されている（特許文献２）。さらに、針が障害物に引っ掛かることがない根係防止用のルアー用錘が開示されている（特許文献３）。
【先行技術文献】
【特許文献】
【０００６】
【特許文献１】特開２００３−１５８９５９号公報
【特許文献２】登録実用新案第３０２１８２７号公報
【特許文献３】特開２０１１−９７９６１号公報
【発明の概要】
【発明が解決しようとする課題】
【０００７】  ルアー自体の繊細な動作能力を損なわず、ルアーのキャスティングの飛距離を延ばしたり、水中での沈下速度を早めたりすることを補助できるルアー用の錘はなかった。【０００８】  上記特許文献１に記載されたルアーは、錘の装着や脱着によって、状況に合わせて沈降態様や泳動姿勢に変化を付けることが可能となりますが、ルアー本体に錘を設置することで、ルアー自体の動作を阻害することとなり、ルアー本来の繊細な動作能力を損なうことになる。【０００９】  上記特許文献２、３に記載されたルアー用の錘は、ボトムバンプと呼ばれる釣法に用いられるもので、ロッド操作で錘を跳ね上げたり沈めたりして、ルアーが水底を叩く上下動で魚を誘うものである。ルアーの設置場所が錘の後方となるため、常に錘がルアーに対して先行する姿勢となり、錘の重さにより、ルアーが常に下方を向く姿勢となり、水中でリトリーブをした際に、ルアーを水平に泳がせることは困難である。
本発明は、以上の問題点を解決するためになされたものである。
【課題を解決するための手段】
【００１０】  ルアー用の錘は、上端にライン（Ｌ）が止着される環状止め金具（１ａ）と、環状止め金具（１ａ）の主軸（６）が挿通される貫通孔を有する胴部（２）と、同じく前記主軸（６）が挿入される挿入孔を有する錘部（３）と、胴部（２）に貫通した環状止め金具（１ａ）の主軸（６）に対して交差する方向へ設置された環状止め金具（１ｂ）で構成されていることを特徴とする。【００１１】  胴部（２）は、主軸（６）を軸として回転し得ることを特徴とする。【００１２】  ルアー（５）は、胴部（２）の側部にある環状止め金具（１ｂ）にスプリットリング（４）を介して接続されることを特徴とする。
【発明の効果】
【００１３】  本発明のルアー用の錘によれば、ルアー本体に直接錘を加重させることはないので、ルアー自体の動作能力を損なうことはありません。また、錘はラインの延長線上の末端に配置されることになるので、ルアーのキャスティング時や水中での沈下時において、ルアー本体やラインよりも常に先行する姿勢で全てが一直線となるので、キャスティングの飛距離の延長とルアーの沈下時間の短縮を図ることが可能となります。これらの効果により、ルアーの動作能力を維持しながら、広範囲で手返しの良いルアーフィッシングが可能で、大幅な釣果のアップへとつながります。
また、水中において常に錘が下方先端の状態となるので、ボトムに錘を着けながらリトリーブすれば、ボトムの変化がラインを通して感じとることが可能となります。
さらに、リトリーブ中はルアーがボトムへ着底しませんので、根がかりを大幅に削減でき、スナッグレス性に優れたものとなります。
【図面の簡単な説明】
【００１４】
【図１】本発明の斜視図
【図２】本発明の正面図
【図３】図２の側面図
【図４】図２の平面図
【図５】図２の底面図
【図６】Ａ−Ａの断面図
【図７】本発明にルアーを取り付けた図
【図８】本発明の環状止め金具を掛止めフックに変更してソフトルアーを取り付けた図
【図９】本発明とルアーのキャスティング時の飛行状態を示した図
【図１０】本発明とルアーの水中の沈下状態を示した図
【図１１】本発明とルアーのボトムでの状態を示した図
【発明を実施するための形態】
【００１５】  以下、本発明の実施の形態を説明する。
（イ）ライン（Ｌ）が止着することができる環状止め金具（１ａ）は主軸（６）を備えている。
（ロ）上記の主軸（６）の環状止め金具（１ａ）側に貫通孔を有する胴部（２）を挿通する。
（ハ）さらに、主軸（６）に挿入孔を有する錘部（３）を挿入して固定する。
（ニ）この時、環状止め金具（１ａ）と錘部（３）の間で、胴部（２）が主軸（６）を軸として回転し得るようにスペースを設けて錘部（３）は設置される。
（ホ）胴部（２）には主軸（６）に対して交差する方向へ環状止め金具（１ｂ）が設置されている。
（ヘ）胴部（２）や錘部（３）の形状は、キャスティング時や水中での沈下時の抵抗とならない為にも、抵抗の少ない流線型や円形であることを特徴とする。
（ト）錘部（３）の重量によってルアー（５）の飛距離や沈下速度を調節できる。
（チ）図７に示すように、ルアー（５）は、スプリットリング（６）を介して環状止め金具（１ａ）に接続して使用する。
（リ）図８に示すように、環状止め金具（１ｂ）は、ルアー（５）の着脱を容易とするために装着掛止フック（７）としても良い。
（ヌ）図８に示すように、装着するルアーは、ルアー（５）のような硬質なルアーのみならず、フック（９）に装着されたソフトルアー（８）でも使用できる。
本発明は以上のような構造である。
【００１６】  本発明を使用するときは、環状止め金具（１ａ）にライン（Ｌ）を結び、環状止め金具（１ｂ）にスプリットリング（６）を介してルアー（５）を接続します。
ルアー（５）を装着した本発明をキャスティングすると、ルアー（５）の重さに錘部（３）の重さが付加され、飛距離の向上が可能となります。図９に示すように、キャスティング時の本発明とルアーの飛行姿勢は一直線となり、空気抵抗を多く受けることはありません。
また、本発明が水中に沈下する場合も、ルアー（５）の重さに錘部（３）の重さが付加され、沈下速度の向上が可能となります。図１０に示すように、沈下時の本発明とルアーの沈下姿勢は一直線となり、空気抵抗を多く受けることはありません。
錘部（３）の重量を様々と用意することで、飛距離や沈下速度をコントロールすることが可能となります。
本発明をキャスティング後、リトリーブを開始すると、本発明に接続されたルアー（５）は、揺動を始めますが、錘部（３）の重量の付加が、ルアー（５）の揺動を邪魔することはないので、ルアー本来の繊細な動作能力を発揮することは可能です。
また、図１１に示すように、本発明をボトム（Ｂ）で使用する場合において、錘部（３）はライン（Ｌ）の延長線上の一端に設けられることになりますので、錘部（３）は感知したボトム（Ｂ）の形状をライン（Ｌ）によって、釣人に伝えることが可能となります。
さらに、リトリーブ中は錘部（３）がボトム（Ｂ）に着底していますが、ルアーは着底しませんので、根がかりを削減することも可能になります。
【符号の説明】
【００１８】１（ａ〜ｂ）環状止め金具、２胴部、３錘部、４スプリットリング、５ルアー、６主軸、７掛止フック、８ソフトルアー、９フック、Ｂボトム、Ｌライン
【図１】
2015188448.tif 000003
【図２】
2015188448.tif 000004
【図３】
2015188448.tif 000005
【図４】
2015188448.tif 000006
【図５】
2015188448.tif 000007
【図６】
2015188448.tif 000008
【図７】
2015188448.tif 000009
【図８】
2015188448.tif 000010
【図９】
2015188448.tif 000011
【図１０】
2015188448.tif 000012
【図１１】
2015188448.tif 000013